(57)【要約】    【課題】  望遠端における諸収差の発生を軽減することができ、広画角、高ズーム比でズーム全域で良好な光学特性が得られるズームレンズを得ること。    【解決手段】  物体側より像側へ順に、正負正の屈折力の第１ないし第３レンズ群、１つ以上のレンズ群を有する後群より構成され、ズーミングに際して隣り合うレンズ群の間隔が変化するズームレンズにおいて、第１レンズ群は３枚のレンズから構成され、材料の部分分散比θｇＦ、材料のアッベ数νｄとするとき、第１レンズ群に含まれる正レンズの材料および第３レンズ群に含まれる正レンズの材料および後群のすべてのレンズの材料のアッベ数νｄと部分分散比θｇＦは、  ０＜θｇＦ−（−１．６６５×１０−７・νｄ３＋５．２１３×１０−５・νｄ２−５．６５６×１０−３・νｄ＋０．７３７）なる条件式を満足し、広角端における全系の焦点距離ｆＷ、第１レンズ群の焦点距離ｆ１を各々適切に設定する。【選択図】    図１
2016136187.tif 000002
【特許請求の範囲】
【請求項１】
物体側より像側へ順に、正の屈折力の第１レンズ群、負の屈折力の第２レンズ群、正の屈折力の第３レンズ群、１つ以上のレンズ群を有する後群より構成され、ズーミングに際して、隣り合うレンズ群の間隔が変化するズームレンズにおいて、
前記第１レンズ群は３枚のレンズから構成され、材料の部分分散比をθｇＦ、材料のアッベ数をνｄとするとき、前記第１レンズ群に含まれる正レンズの材料、および、前記第３レンズ群に含まれる正レンズの材料、および、前記後群に含まれる全てのレンズの材料は、
０＜θｇＦ−（−１．６６５×１０−７・νｄ３＋５．２１３×１０−５・νｄ２−５．６５６×１０−３・νｄ＋０．７３７）
なる条件式を満足し、
広角端における全系の焦点距離をｆＷ、前記第１レンズ群の焦点距離ｆ１とするとき、
１１．０＜ｆ１／ｆＷ＜３５．０
なる条件式を満足することを特徴とするズームレンズ。
【請求項２】
望遠端における全系の焦点距離をｆＴとするとき、
２．００＜ｆＴ／ｆ１＜４．００
なる条件式を満足することを特徴とする請求項１のズームレンズ。
【請求項３】
望遠端における全系の焦点距離をｆＴ、前記第２レンズ群の焦点距離をｆ２とするとき、
１５．０＜｜ｆＴ／ｆ２｜＜５０．０
なる条件式を満足することを特徴とする請求項１又は２のズームレンズ。
【請求項４】
望遠端における全系の焦点距離をｆＴ、前記第３レンズ群の焦点距離をｆ３とするとき、
９．０＜ｆＴ／ｆ３＜２８．０
なる条件式を満足することを特徴とする請求項１乃至３のいずれか１項のズームレンズ。
【請求項５】
広角端から望遠端へのズーミングにおける前記第１レンズ群の移動量をＭ１とするとき、
−２５．０＜Ｍ１／ｆＷ＜−３．０
なる条件式を満足することを特徴とする請求項１乃至４のいずれか１項のズームレンズ。
【請求項６】
前記第３レンズ群の焦点距離をｆ３とするとき、
３．０＜ｆ１／ｆ３＜１０．０
なる条件式を満足することを特徴とする請求項１乃至５のいずれか１項のズームレンズ。
【請求項７】
前記第２レンズ群の焦点距離をｆ２とするとき、
６．０＜｜ｆ１／ｆ２｜＜１５．０
なる条件式を満足することを特徴とする請求項１乃至６のいずれか１項のズームレンズ。
【請求項８】
前記第２レンズ群と前記第３レンズ群の間に開口絞りを有し、ズーミングに際し、前記開口絞りは、前記第２レンズ群および前記第３レンズ群とは異なる軌跡で移動し、広角端における前記開口絞りと前記第３レンズ群の間隔をＤＷ、望遠端における前記開口絞りと前記第３レンズ群の間隔をＤＴとするとき、
０．２０＜（ＤＷ−ＤＴ）／ｆＷ＜５．００
なる条件式を満足することを特徴とする請求項１乃至７のいずれか１項のズームレンズ。
【請求項９】
前記第１レンズ群に含まれる正レンズの材料のアッベ数をνｄ１ａとするとき、前記第１レンズ群に含まれる全ての正レンズは、
６５．０＜νｄ１ａ＜１００．０
なる条件式を満足することを特徴とする請求項１乃至８のいずれか１項のズームレンズ。
【請求項１０】
前記第２レンズ群よりも像側に配置されたレンズの材料のアッベ数をνｄ３ｒとするとき、前記第２レンズ群よりも像側に配置された全てのレンズは、
２０．０＜νｄ３ｒ＜６５．０
なる条件式を満足することを特徴とする請求項１乃至９のいずれか１項のズームレンズ。
【請求項１１】
前記第２レンズ群よりも像側に配置されたレンズの材料の屈折率の平均値をＮａｖｅとするとき、
１．５０００＜Ｎａｖｅ＜１．５９００
なる条件式を満足することを特徴とする請求項１乃至１０のいずれか１項のズームレンズ。
【請求項１２】
前記第２レンズ群よりも像側に配置された正レンズの材料のアッベ数をνｄ３ｐｒとするとき、前記第２レンズ群よりも像側に配置された全ての正レンズは、
５０．０＜νｄ３ｐｒ＜６０．０
なる条件式を満足することを特徴とする請求項１乃至１１のいずれか１項のズームレンズ。
【請求項１３】
前記第２レンズ群よりも像側に配置された正の屈折力のレンズ群に含まれる負レンズの材料のアッベ数をνｄ３ｎｒとするとき、前記第２レンズ群よりも像側に配置された正の屈折力のレンズ群に含まれる全ての負レンズは、
２０．０＜νｄ３ｎｒ＜３０．０
なる条件式を満足することを特徴とする請求項１乃至１２のいずれか１項のズームレンズ。
【請求項１４】
広角端から望遠端へのズーミングに際し、前記第１レンズ群は像側に凸状の軌跡で移動することを特徴とする請求項１乃至１３のいずれか１項のズームレンズ。
【請求項１５】
請求項１乃至１４のいずれか１項のズームレンズと、該ズームレンズによって形成される像を受光する光電変換素子を有することを特徴とする撮像装置。
【発明の詳細な説明】
【技術分野】
【０００１】
本発明はズームレンズ及びそれを有する撮像装置に関し、例えばビデオカメラ、電子スチルカメラ、放送用カメラ、監視カメラ等のように固体撮像素子を用いた撮像装置、或いは銀塩フィルムを用いたカメラ等の撮像装置に好適なものである。
【背景技術】
【０００２】
近年、固体撮像素子や銀塩フィルムを用いた撮像装置は高機能化され、又装置全体が小型化されている。そしてそれに用いる撮影光学系としてはレンズ全長が短く、コンパクト（小型）で、広画角、高ズーム比（高変倍比）のズームレンズであること等が要求されている。
【０００３】
特に球面収差、コマ収差などの単色（短波長）収差の補正に加え、色収差も良好に補正された高解像力のズームレンズであることが要求されている。これらの要求に応えるズームレンズとして、物体側より像側へ順に、正、負、正の屈折力を有する第１、第２、第３レンズ群と、それに続く１つ以上のレンズ群を含む後群を有するポジティブリード型のズームレンズが知られている。ポジティブリード型のズームレンズとして、物体側より像側へ順に、正、負、正、正の屈折力の第１レンズ群乃至第４レンズ群より成る４群ズームレンズが知られている（特許文献１乃至３）。
【０００４】
特許文献１では第１レンズ群を３枚のレンズより構成し、第１レンズ群内の正レンズ、第３レンズ群内の正レンズ、第４レンズ群内のレンズに異常分散性の材料を用い、色収差を良好に補正したズーム比１２程度のズームレンズを開示している。特許文献２，３では第１レンズ群を３枚のレンズより構成したズーム比３〜５程度のズームレンズを開示している。
【０００５】
このポジティブリード型の４群ズームレンズにおいて第１レンズ群と第３レンズ群の正レンズの材料に異常分散材料を使用し、色収差（２次スペクトル）を良好に補正したズームレンズが知られている（特許文献４）。また物体側より順に正、負、正、負、正の屈折力のレンズ群より成る５群構成ズームレンズにおいて第３レンズ群に異常分散性を有する材料より成るレンズを用いた色収差を良好に補正したズームレンズが知られている（特許文献５）。
【０００６】
特許文献５は第１レンズ群を３枚のレンズより構成したズーム比１０程度のズームレンズを開示している。この他、物体側より像側へ順に正、負、正、正、正の屈折力の５つのレンズ群より成る広画角、高ズーム比のズームレンズが知られている（特許文献６）。特許文献６は第１レンズ群を３枚のレンズより構成したズーム比９．６程度のズームレンズを開示している。
【先行技術文献】
【特許文献】
【０００７】
【特許文献１】特開２０１１−２８２３８号公報
【特許文献２】特開２０１３−１４８７８０号公報
【特許文献３】米国特許公開２０１２−１６２７８０号公報
【特許文献４】特開２０１０−９１７８８号公報
【特許文献５】特開２０１０−３２７００号公報
【特許文献６】特開２００４−１１７８２６号公報
【発明の概要】
【発明が解決しようとする課題】
【０００８】
ポジティブリード型のズームレンズは全系の小型化を図りつつ、広画角化及び高ズーム比化を図ることが比較的容易である。多くのポジティブリード型のズームレンズにおいて、望遠端での焦点距離を長く（長焦点距離化）しつつ、高ズーム比化を図ると望遠側のズーム領域において、球面収差、コマ収差、色収差等の諸収差が多く発生してくる。
【０００９】
一般的に長焦点距離化されたポジティブリードのズームレンズにおいて、軸上光線は第１レンズ群を中心から離れた位置を通る。このため第１レンズ群より、軸上色収差の二次スペクトルや、色による球面収差等が多く発生してくる。色収差を軽減するために第１レンズ群に異常分散性のある材料を用いれば、望遠端において軸上色収差の二次スペクトルを小さくすることが容易となる。しかしながら望遠端において軸上色収差の低減をするために、単に異常分散性のある材料を使用すると、広角端において倍率色収差が増加してくる。
【００１０】
一方、前述したポジティブリード型のズームレンズでは第１レンズ群の大きさがズームレンズ全体の大きさに大きく影響する。このため、ポジティブリード型のズームレンズにおいて、全系の小型化を図りつつ、高ズーム比で全ズーム範囲にわたり高い光学性能を得るには、第１レンズ群の屈折力やレンズ構成等を適切に設定することが重要になってくる。
【００１１】
この他、全系の小型化を図りつつ、高ズーム比化を達成するには変倍用の第２レンズ群の屈折力やズーミングに際して移動する第３レンズ群の屈折力等を適切に設定することが重要になってくる。これらの構成を適切に設定しないと、全系の小型化を図りつつ、広画角かつ高ズーム比、しかも望遠端において諸収差を良好に補正し、全ズーム範囲で高い光学性能のズームレンズを得るのが難しくなってくる。
【００１２】
本発明は、望遠端における諸収差の発生を軽減することができ、広画角、高ズーム比でズーム全域で良好な光学特性が得られるズームレンズ及びそれを有する撮像装置の提供を目的とする。
【課題を解決するための手段】
【００１３】
本発明のズームレンズは、物体側より像側へ順に、正の屈折力の第１レンズ群、負の屈折力の第２レンズ群、正の屈折力の第３レンズ群、１つ以上のレンズ群を有する後群より構成され、ズーミングに際して、隣り合うレンズ群の間隔が変化するズームレンズにおいて、前記第１レンズ群は３枚のレンズから構成され、材料の部分分散比をθｇＦ、材料のアッベ数をνｄとするとき、前記第１レンズ群に含まれる正レンズの材料、および、前記第３レンズ群に含まれる正レンズの材料、および、前記後群に含まれる全てのレンズの材料は、
０＜θｇＦ−（−１．６６５×１０−７・νｄ３＋５．２１３×１０−５・νｄ２−５．６５６×１０−３・νｄ＋０．７３７）
なる条件式を満足し、広角端における全系の焦点距離をｆＷ、前記第１レンズ群の焦点距離ｆ１とするとき、
１１．０＜ｆ１／ｆＷ＜３５．０
なる条件式を満足することを特徴としている。
【発明の効果】
【００１４】
本発明によれば、望遠端における諸収差の発生を軽減することができ、広画角、高ズーム比でズーム全域で良好な光学特性を有したズームレンズが得られる。
【図面の簡単な説明】
【００１５】
【図１】数値実施例１のレンズ断面図
【図２】（Ａ），（Ｂ），（Ｃ）  数値実施例１の広角端，中間のズーム位置，望遠端における収差図
【図３】数値実施例２のレンズ断面図
【図４】（Ａ），（Ｂ），（Ｃ）  数値実施例２の広角端，中間のズーム位置，望遠端における収差図
【図５】数値実施例３のレンズ断面図
【図６】（Ａ），（Ｂ），（Ｃ）  数値実施例３の広角端，中間のズーム位置，望遠端における収差図
【図７】数値実施例４のレンズ断面図
【図８】（Ａ），（Ｂ），（Ｃ）  数値実施例４の広角端，中間のズーム位置，望遠端における収差図
【図９】数値実施例５のレンズ断面図
【図１０】（Ａ），（Ｂ），（Ｃ）  数値実施例５の広角端，中間のズーム位置，望遠端における収差図
【図１１】数値実施例６のレンズ断面図
【図１２】（Ａ），（Ｂ），（Ｃ）  数値実施例６の広角端，中間のズーム位置，望遠端における収差図
【図１３】数値実施例７のレンズ断面図
【図１４】（Ａ），（Ｂ），（Ｃ）  数値実施例７の広角端，中間のズーム位置，望遠端における収差図
【図１５】本発明の撮像装置の要部概略図
【図１６】θｇＦ−νｄの説明図
【発明を実施するための形態】
【００１６】
以下に本発明の好ましい実施の形態を、添付の図面に基づいて詳細に説明する。本発明のズームレンズは、物体側から像側へ順に、正の屈折力（光学的パワー＝焦点距離の逆数）の第１レンズ群、負の屈折力の第２レンズ群、開口絞り、正の屈折力の第３レンズ群、１以上のレンズ群を含む後群より構成されている。ズーミングに際しては隣り合うレンズ群の間隔が変化する。
【００１７】
図１は実施例１のレンズ断面図である。図２（Ａ），（Ｂ），（Ｃ）は実施例１の広角端（短焦点距離端），中間のズーム位置，望遠端（長焦点距離端）における収差図である。実施例１はズーム比５６．６、開口比（Ｆナンバー）３．５０〜７．０７程度のズームレンズである。図３は実施例２のレンズ断面図である。図４（Ａ），（Ｂ），（Ｃ）は実施例２の広角端，中間のズーム位置，望遠端における収差図である。実施例２はズーム比３３．６、開口比３．５０〜６．４２程度のズームレンズである。
【００１８】
図５は実施例３のレンズ断面図である。図６（Ａ），（Ｂ），（Ｃ）は実施例３の広角端，中間のズーム位置，望遠端における収差図である。実施例３はズーム比９４．４、開口比３．５０〜７．５０程度のズームレンズである。図７は実施例４のレンズ断面図である。図８（Ａ），（Ｂ），（Ｃ）は実施例４の広角端，中間のズーム位置，望遠端における収差図である。実施例４はズーム比９４．３、開口比３．５０〜７．５０程度のズームレンズである。
【００１９】
図９は実施例５のレンズ断面図である。図１０（Ａ），（Ｂ），（Ｃ）は実施例５の広角端，中間のズーム位置，望遠端における収差図である。実施例５はズーム比１００．０、開口比３．５０〜７．５０程度のズームレンズである。図１１は実施例６のレンズ断面図である。図１２（Ａ），（Ｂ），（Ｃ）は実施例６の広角端，中間のズーム位置，望遠端における収差図である。実施例６はズーム比９４．１、開口比３．５０〜７．５０程度のズームレンズである。
【００２０】
図１３は実施例７のレンズ断面図である。図１４（Ａ），（Ｂ），（Ｃ）は実施例７の広角端，中間のズーム位置，望遠端における収差図である。実施例７はズーム比９４．５、開口比３．５０〜７．５０程度のズームレンズである。図１５は本発明のズームレンズを備えるデジタルスチルカメラ（撮像装置）の要部概略図である。図１６はθｇＦ−νｄ図の説明図である。
【００２１】
各実施例のズームレンズはビデオカメラ、デジタルスチルカメラ、銀塩フィルムカメラ、ＴＶカメラなどの撮像装置に用いられる撮影レンズ系である。尚、各実施例のズームレンズは投射装置（プロジェクタ）用の投射光学系として用いることもできる。レンズ断面図において、左方が物体側（前方）で、右方が像側（後方）である。また、レンズ断面図において、ｉを物体側からのレンズ群の順番とすると、Ｌｉは第ｉレンズ群を示す。ＬＲは１以上のレンズ群を有する後群である。
【００２２】
ＳＰは開口絞りである。Ｇは光学フィルター、フェースプレート、ローパスフィルター、赤外カットフィルターなどに相当する光学ブロックである。ＩＰは像面である。像面ＩＰは、ビデオカメラやデジタルカメラの撮影光学系としてズームレンズを使用する際には、ＣＣＤセンサやＣＭＯＳセンサなどの固体撮像素子（光電変換素子）の撮像面に相当する。銀塩フィルムカメラの撮影光学系としてズームレンズを使用する際には、フィルム面に相当する。
【００２３】
矢印は広角端から望遠端へのズーミング（変倍）に際して、各レンズ群の移動軌跡と、フォーカシングの際のレンズ群の移動方向を示している。球面収差図において、ｄはｄ線（波長５８７．６ｎｍ）、ｇはｇ線（波長４３５．８ｎｍ）である。非点収差図でＳとＭはｄ線におけるサジタル像面とメリディオナル像面である。歪曲収差はｄ線について示している。倍率色収差図においてｇはｇ線である。尚、以下の各実施例において広角端と望遠端は変倍用のレンズ群が機構上、光軸上を移動可能な範囲の両端に位置したときのズーム位置をいう。
【００２４】
各実施例はいずれも、物体側から像側へ順に、正の屈折力の第１レンズ群Ｌ１、負の屈折力の第２レンズ群Ｌ２、正の屈折力の第３レンズ群Ｌ３、そして１以上のレンズ群を有する後群ＬＲを有するズームレンズである。そしてズーミングに際しては、各レンズ群の間隔が変化している。
【００２５】
前述したポジティブリード型のズームレンズにおいて全系の小型化を図りつつ、球面収差やコマ収差等を良好に補正するためには、第１レンズ群の屈折力を適切に設定し、かつ第１レンズ群を屈折力に見合った枚数の正レンズを用いることが必要となる。第１レンズ群に用いるレンズの枚数が増加すると、全系が大型化となる。このため、球面収差、コマ収差等を良好に補正できるレンズ枚数にて、軸上色収差を良好に補正するには正レンズの材料に異常分散性の材料を使用するのが良い。
【００２６】
一般に光学材料は縦軸に部分分散比θｇＦが上方向に大きな値となるように、アッベ数νｄを横軸に左方向が大きな値となるようにとった図１６に示すグラフ（以下「θｇＦ−νｄ図」と呼ぶ）上にマッピングさせる。そうすると、ノーマルラインと呼ばれる直線に沿って分布することが知られている。
【００２７】
ここで、材料のアッベ数νｄと部分分散比θｇＦは、ｇ線、Ｆ線（４８６．１ｎｍ）、Ｃ線（６５６．３ｎｍ）、ｄ線に対する材料の屈折率をそれぞれＮｇ、ＮＦ、ＮＣ、Ｎｄとする。このとき、
νｄ＝（Ｎｄ−１）／（ＮＦ−ＮＣ）
θｇＦ＝（Ｎｇ−ＮＦ）／（ＮＦ−ＮＣ）
で表される量である。
【００２８】
一般に諸収差のうち、色による球面収差をバランスさせると軸上色収差量が大きくなる場合がある。このため、軸上色収差の二次スペクトルはできる限り小さい方が良い。この第１レンズ群において、軸上色収差の二次スペクトルを補正するためには、図１６のθｇＦ−νｄ図において、第１レンズ群を構成する正レンズの材料と負レンズの材料を結んだ直線の傾きを緩くすることが必要である。例えば、蛍石のようにアッベ数が大きく、θｇＦ−νｄ図においてノーマルラインから部分分散比θｇＦが大きくなる方向の離れた領域にある材料を第１レンズ群内の正レンズに用いるのが良い。
【００２９】
さらに、ランタン系の材料のように、θｇＦ−νｄ図においてノーマルラインから部分分散比θｇＦが小さくなる方向の領域にある材料を第１レンズ群内の負レンズに用いるのが良い。このような組み合わせでは第１レンズ群内での正レンズの材料と負レンズの材料を結ぶ直線の傾きがノーマルラインよりも大幅に緩くなり、軸上色収差の二次スペクトルを効果的に補正することができる。
【００３０】
一般に望遠側において軸上色収差を軽減するために異常分散性のある材料を用いると広角端において倍率色収差が増加してくる。特に広角端において倍率色収差の二次スペクトルが増加する。具体的にはｇ線の倍率色収差が補正過剰となる。異常分散性のある材料を単にズームレンズに使用するだけでは、全ズーム範囲にわたり、色収差を良好に補正し、高い光学性能を得ることは難しい。
【００３１】
本発明のズームレンズでは、色収差を良好に補正するため、このようなノーマルラインから離れた領域にある材料を適切に用いている。更にズームレンズ全体の小型化を図るために、ズームタイプ、各レンズ群の屈折力、そして各レンズ群の屈折力、レンズ構成、ズーミングに際してのレンズ群の移動軌跡などを適切に設定している。
【００３２】
次に各実施例のレンズ構成の特長について説明する。実施例１乃至３のズームレンズは、物体側より像側へ順に、次のとおりである。正の屈折力の第１レンズ群Ｌ１、負の屈折力の第２レンズ群Ｌ２、開口絞りＳＰ、正の屈折力の第３レンズ群Ｌ３、負の屈折力の第４レンズ群Ｌ４、正の屈折力の第５レンズ群Ｌ５よりなる５群構成のズームレンズである。後群ＬＲは第４レンズ群Ｌ４と第５レンズ群Ｌ５より構成されている。
【００３３】
広角端から望遠端へのズーミングに際して、第１レンズ群Ｌ１は像側に凸状の軌跡で移動し、第２レンズ群Ｌ２は像側に移動し、第３レンズ群Ｌ３は物体側に移動し、第４レンズ群Ｌ４は物体側に移動し、第５レンズ群Ｌ５は物体側に凸状の軌跡で移動する。実施例１乃至３のズームレンズは、第１レンズ群Ｌ１、第２レンズ群Ｌ２、第３レンズ群Ｌ３の移動により主な変倍を行っている。ズーミングに際して第１レンズ群Ｌ１は広角端に比べて望遠端において、物体側に位置するように移動して、広角端におけるレンズ全長を短縮しつつ、大きな変倍比が得られるようにしている。
【００３４】
ここでレンズ全長とは第１レンズ面から最終レンズ面までの距離に空気換算長のバックフォーカスを加えた値である。ポジティブリードのズームレンズでは第１レンズ群Ｌ１の最も物体側のレンズ面（前玉）の有効径が、広角側における軸外光線の入射高で決まり、広画角化するほど前玉有効径が大きくなり全系の小型化が困難となる。そのため、広角端においてレンズ全長を短くし、第１レンズ群Ｌ１と開口絞りの位置を近づけ、広角端に比べて望遠端において、第１レンズ群Ｌ１を物体側に位置するように移動することで望遠端におけるズーム倍率を確保できるレンズ構成としている。
【００３５】
これにより第１レンズ群の有効径を小さくしている。諸収差のうち球面収差やコマ収差は、第１レンズ群Ｌ１に設ける正レンズの枚数を増やすことで補正しやすくなる。しかしながらレンズ枚数が増えると、全系が大型化する。このため第１レンズ群Ｌ１を３枚のレンズ構成とし、さらに広角側にてレンズ全長を短くし、最も物体側の第１レンズのレンズ有効径を決める軸外光線の高さを低くする配置にして全系の小型化を図っている。
【００３６】
また、歪曲収差をある程度許容し、電子的に収差を補正する構成とすれば、第１レンズの有効径を小さくすることが容易となり、全系の小型化を図ることができる。また、広角端から望遠端へのズーミングに際し、第１レンズ群Ｌ１は一旦像側に移動し、その後物体側へ移動する像側に凸状の軌跡で移動する。中間のズーム領域にて第１レンズ群Ｌ１と開口絞りＳＰとの間隔を狭めることにより、第１レンズ群Ｌ１の有効径の拡大を防止し、全系の小型化を図っている。
【００３７】
また、ズーミングに際し、広角端に比べ望遠端において第２レンズ群Ｌ２が像側に位置するように移動することにより、第２レンズ群Ｌ２に大きな変倍効果を持たせている。また、ズーミングに際し、広角端に比べ望遠端において第３レンズ群Ｌ３が物体側に位置するように移動することにより、第３レンズ群Ｌ３に大きな変倍効果を持たせている。また、ズーミングに際し、開口絞りＳＰを他の各レンズ群とは異なった軌跡で移動することで、全系の小型化を容易にしている。
【００３８】
ポジティブリードのズームレンズでは第１レンズ群Ｌ１の最も物体側のレンズ面の有効径は、広角側における軸外光線の入射高で決まり、広画角化するほど前玉有効径が大きくなる。そこで開口絞りＳＰの位置を第１レンズ群Ｌ１に近づけることによって、第１レンズ群Ｌ１の有効径を小さくしている。
【００３９】
このように、広角端と望遠端において、各レンズ群と開口絞りの相対的位置関係を変える構成とすることにより、広角端において第１レンズ群Ｌ１の有効径を小さくし、全系の小型化を図りつつ、高ズーム比化を達成している。また、ズーミングに際し、広角端に比べ望遠端において第４レンズ群Ｌ４が物体側に位置するように移動することにより、フォーカス用のレンズ群である第５レンズ群Ｌ５のフォーカススペースを十分確保している。
【００４０】
第５レンズ群Ｌ５は、変倍に伴う像面位置の変動を補正すると共に、物体距離の変動に伴って移動してフォーカシングを行う。各実施例では第１レンズ群Ｌ１以外のレンズ群でフォーカシングを行うリヤフォーカス式を採用している。広角端から望遠端へのズーミングに際して第５レンズ群Ｌ５は物体側に凸状の軌跡で移動することで、第４レンズ群Ｌ４と第５レンズ群Ｌ５の空間の有効利用を図り、レンズ全長を効果的に短縮している。第５レンズ群Ｌ５に関する実線の曲線５ａと点線の曲線５ｂは、各々無限遠物体と近距離物体にフォーカスしているときの変倍に伴う像面変動を補正するための移動軌跡である。
【００４１】
また望遠端において、無限遠物体から近距離物体へフォーカスを行う場合には、矢印５Ｃに示す如く第５レンズ群Ｌ５を前方に（物体側へ）繰出すことで行っている。
【００４２】
実施例４のズームレンズは、物体側より像側へ順に、次のとおりである。正の屈折力の第１レンズ群Ｌ１、負の屈折力の第２レンズ群Ｌ２、開口絞りＳＰ、正の屈折力の第３レンズ群Ｌ３、負の屈折力の第４レンズ群Ｌ４、正の屈折力の第５レンズ群Ｌ５、正の屈折力の第６レンズ群Ｌ６よりなる６群構成のズームレンズである。後群ＬＲは第４レンズ群Ｌ４と第５レンズ群Ｌ５と第６レンズ群Ｌ６より構成されている。
【００４３】
広角端から望遠端へのズーミングに際して、第１レンズ群Ｌ１は像側に凸状の軌跡で移動し、第２レンズ群Ｌ２は像側に移動し、第３レンズ群Ｌ３は物体側に移動し、第４レンズ群Ｌ４は物体側に移動し、第５レンズ群Ｌ５は物体側に凸状の軌跡で移動する。第６レンズ群Ｌ６は不動である。実施例４は実施例１乃至３に比べて第５レンズ群Ｌ５の像側に正の屈折力の第６レンズ群Ｌ６を配置していること、ズーミングに際して第６レンズ群を不動としていることが異なっており、この他の構成は略同じである。
【００４４】
本実施例においてズーミングに際して第６レンズ群Ｌ６は不動である。全系の小型化を図るため、ズーミングによる各レンズ群の移動量を少なくすると、各レンズ群の屈折力が強くなり、諸収差が増大し、諸収差の補正が困難となる。これに対して本実施例では像面付近に第６レンズ群Ｌ６を配置することにより、メカ構造の複雑化することなく、第５レンズ群Ｌ５の屈折力を緩め、諸収差を良好に補正している。
【００４５】
実施例５のズームレンズは、物体側より像側へ順に、次のとおりである。正の屈折力の第１レンズ群Ｌ１、負の屈折力の第２レンズ群Ｌ２、開口絞りＳＰ、正の屈折力の第３レンズ群Ｌ３、正の屈折力の第４レンズ群Ｌ４よりなる４群構成のズームレンズである。後群ＬＲは第４レンズ群Ｌ４より構成されている。広角端から望遠端へのズーミングに際して、第１レンズ群Ｌ１は像側に凸状の軌跡で移動し、第２レンズ群Ｌ２は像側に移動し、第３レンズ群Ｌ３は物体側に移動し、第４レンズ群は物体側に凸状の軌跡で移動する。
【００４６】
実施例５は実施例１乃至３に比べて第４レンズ群Ｌ４が正の屈折力であること、第５レンズ群Ｌ５がないこと、第４レンズ群Ｌ４にてフォーカシングを行っていること等が異なっており、この他の構成は略同じである。
【００４７】
本実施例において、第４レンズ群Ｌ４は、変倍に伴う像面位置の変動を補正すると共に、物体距離の変動に伴って移動してフォーカシングを行う。本実施例では第１レンズ群Ｌ１以外のレンズ群でフォーカシングを行うリヤフォーカス式を採用している。
【００４８】
第４レンズ群Ｌ４に関する実線の曲線４ａと点線の曲線４ｂは各々無限遠物体と近距離物体にフォーカスしているときの変倍に伴う像面変動を補正するための移動軌跡である。望遠端において、無限遠物体から近距離物体へフォーカスを行う場合には、矢印４Ｃに示す如く第４レンズ群Ｌ４を前方に繰出すことで行っている。
【００４９】
実施例６のズームレンズは、物体側より像側へ順に、次のとおりである。正の屈折力の第１レンズ群Ｌ１、負の屈折力の第２レンズ群Ｌ２、開口絞りＳＰ、正の屈折力の第３レンズ群Ｌ３、正の屈折力の第４レンズ群Ｌ４、負の屈折力の第５レンズ群Ｌ５よりなる５群構成のズームレンズである。後群ＬＲは第４レンズ群Ｌ４と第５レンズ群Ｌ５より構成されている。広角端から望遠端へのズーミングに際して、第１レンズ群Ｌ１は像側に凸状の軌跡で移動し、第２レンズ群Ｌ２は像側に移動し、第３レンズ群Ｌ３は物体側に移動し、第４レンズ群Ｌ４は物体側に凸状の軌跡で移動する。第５レンズ群Ｌ５は不動である。
【００５０】
実施例６は実施例１乃至３に比べて第４レンズ群Ｌ４が正の屈折力であること、第５レンズ群Ｌ５が負の屈折力であること、第４レンズ群Ｌ４でフォーカシングを行っていること、ズーミングに際して第５レンズ群Ｌ５が不動であること等が異なっている。この他の構成は略同じである。
【００５１】
本実施例においてズーミングに際し、広角端に比べ望遠端において第３レンズ群Ｌ３が物体側に位置するように移動させることにより、フォーカスレンズ群である第４レンズ群Ｌ４のフォーカススペースを十分確保している。第４レンズ群Ｌ４は、変倍に伴う像面位置の変動を補正すると共に、物体距離の変動において移動してフォーカシングを行う。
【００５２】
本実施例では第１レンズ群Ｌ１以外のレンズ群でフォーカシングを行うリヤフォーカス式を採用している。ズーミングにおける第４レンズ群Ｌ４の移動軌跡を物体側に凸状とすることで、第３レンズ群Ｌ３と第４レンズ群Ｌ４の空間の有効利用を図り、レンズ全長を効果的に短縮している。
【００５３】
第４レンズ群Ｌ４に関する実線の曲線４ａと点線の曲線４ｂは、各々無限遠物体と近距離物体にフォーカスしているときの変倍に伴う像面変動を補正するための移動軌跡である。また望遠端において、無限遠物体から近距離物体へフォーカスを行う場合には、矢印４Ｃに示す如く第４レンズ群Ｌ４を前方に繰出すことで行っている。第５レンズ群Ｌ５は、ズーミングに際して不動としている。全系の小型化を図るため、ズーミングによる各レンズ群の移動量を少なくすると、各レンズ群の屈折力が強くなり、諸収差が増大し、諸収差の補正が困難となる。
【００５４】
これに対し本実施例では、像面付近に第５レンズ群Ｌ５を配置し、メカ構造を複雑化することなく、全系の小型化を図りつつ諸収差を良好に補正している。実施例７のズームレンズは、物体側より像側へ順に、次のとおりである。正の屈折力の第１レンズ群Ｌ１、負の屈折力の第２レンズ群Ｌ２、開口絞りＳＰ、正の屈折力の第３レンズ群Ｌ３、正の屈折力の第４レンズ群Ｌ４、正の屈折力の第５レンズ群Ｌ５よりなる５群構成のズームレンズである。後群ＬＲは第４レンズ群Ｌ４と第５レンズ群Ｌ５より構成されている。
【００５５】
広角端から望遠端へのズーミングに際して、第１レンズ群Ｌ１は像側に凸状の軌跡で移動し、第２レンズ群Ｌ２は像側に移動し、第３レンズ群Ｌ３は物体側に移動し、第４レンズ群Ｌ４は物体側に凸状の軌跡で移動する。第５レンズ群Ｌ５は不動である。実施例７は実施例１乃至３に比べて第４レンズ群Ｌ４が正の屈折力であること、第４レンズ群Ｌ４でフォーカシングを行っていること、ズーミングに際して第５レンズ群Ｌ５が不動であること等が異なっており、この他の構成は略同じである。
【００５６】
本実施例においてズーミングに際し、広角端に比べ望遠端において第３レンズ群Ｌ３が物体側に位置するように移動させることにより、フォーカスレンズ群である第４レンズ群Ｌ４のフォーカススペースを確保している。第４レンズ群Ｌ４は、変倍に伴う像面位置の変動を補正すると共に、物体距離の変動において移動してフォーカシングを行う。本実施例では第１レンズ群Ｌ１以外のレンズ群でフォーカシングを行うリヤフォーカス式を採用している。
【００５７】
ズーミングにおける第４レンズ群Ｌ４の移動軌跡を物体側に凸状とすることで、第３レンズ群Ｌ３と第４レンズ群Ｌ４の空間の有効利用を図り、レンズ全長を効果的に短縮している。第４レンズ群Ｌ４に関する実線の曲線４ａと点線の曲線４ｂは、各々無限遠物体と近距離物体にフォーカスしているときの変倍に伴う像面変動を補正するための移動軌跡である。また望遠端において、無限遠物体から近距離物体へフォーカスを行う場合には、矢印４Ｃに示す如く第４レンズ群Ｌ４を前方に繰出すことで行っている。
【００５８】
第５レンズ群Ｌ５は、ズーミングに際して不動としている。全系の小型化を図るため、ズーミングによる各レンズ群の移動量を少なくすると、各レンズ群の屈折力が強くなり、諸収差が増大し、諸収差の補正が困難となる。これに対して、本実施例では像面付近に第５レンズ群Ｌ５を配置し、メカ構造を複雑化することなく、全系の小型化を図りつつ、諸収差を良好に補正している。
【００５９】
実施例１乃至７のズームレンズにおいて、広画角化及び高ズーム比化を図りつつ、全ズーム範囲にわたり高い光学性能を得るためには次の如く構成している。
【００６０】
第１レンズ群Ｌ１は３枚のレンズから構成されている。材料の部分分散比をθｇＦ、材料のアッベ数をνｄとする。このとき、第１レンズ群Ｌ１に含まれる正レンズの材料、および、第３レンズ群Ｌ３に含まれる正レンズの材料、および、後群ＬＲに含まれるすべてのレンズの材料は、
０＜θｇＦ−（−１．６６５×１０−７・νｄ３＋５．２１３×１０−５・νｄ２−５．６５６×１０−３・νｄ＋０．７３７）    ・・・（１）
なる条件式を満足する。
【００６１】
更に広角端における全系の焦点距離をｆＷ、第１レンズ群の焦点距離ｆ１とする。このとき、
１１．０＜ｆ１／ｆＷ＜３５．０    ・・・（２）
なる条件式を満足する。ここで、材料のアッベ数νｄ、部分分散比θｇＦは、前述したとおりである。第１レンズ群Ｌ１にて発生した諸収差は、第１レンズ群Ｌ１以降像面まで続く各レンズ群の横倍率分だけ拡大される。このため、第１レンズ群Ｌ１にて発生する諸収差は極力抑える必要がある。
【００６２】
例えば高ズーム比化を図る際に発生する軸上色収差を抑えるためには、図１６に示すθｇＦ−νｄ図において、第１レンズ群内の負レンズと正レンズの材料を結んだ直線の傾きが緩やかにするのが良い。この直線が緩やかなほど、軸上色収差の二次スペクトルを補正するのが容易となる。
【００６３】
各実施例では第１レンズ群Ｌ１内の正レンズの材料には、図１６のθｇＦ−νｄ図にてノーマルラインより離れた位置にある異常分散性の材料を使用することで、二次スペクトルを良好に補正している。また、全系の小型化のため、第１レンズ群Ｌ１を３枚のレンズ構成としている。第１レンズ群Ｌ１の焦点距離を短くしすぎると、諸収差が多く発生するため、第１レンズ群Ｌ１を３枚のレンズ構成として、かつ第１レンズ群Ｌ１の焦点距離を適切に設定している。
【００６４】
さらに、第１レンズ群Ｌ１の像側で軸上光束が広がって入射する第３レンズ群Ｌ３の正レンズの材料にも、ノーマルラインから離れた材料を使用すると、軸上色収差の二次スペクトルを良好に補正している。また、望遠端において軸上色収差の二次スペクトルを良好に補正するために、ノーマルラインより離れた位置の材料を第１レンズ群Ｌ１と、第３レンズ群Ｌ３の正レンズに使用すると、広角端において倍率色収差の二次スペクトルが増加してくる。
【００６５】
そのため、第３レンズ群Ｌ３より像側の後群ＬＲのレンズの一部に高分散側にて異常分散性のある材料を使用することで、広角側において倍率色収差の二次スペクトルを良好に補正している。
【００６６】
条件式（１）は以上の理由により、第１レンズ群Ｌ１内の正レンズと、第３レンズ群Ｌ３内の正レンズ、第３レンズ群Ｌ３より像側、即ち後群ＬＲのすべてのレンズの材料の部分分散比θｇＦを規定している。条件式（１）の左辺が０よりも小さくなると、望遠端において軸上色収差の二次スペクトルが増加してくる。
【００６７】
条件式（２）は広角端における全系の焦点距離と第１レンズ群Ｌ１の焦点距離の比を規定している。条件式（２）の上限値を超えて、第１レンズ群Ｌ１の焦点距離が長くなると、広角端における全系の焦点距離が短くなりすぎ、倍率色収差の補正が困難となる、あるいは、第１レンズ群Ｌ１の焦点距離が長くなるため、望遠端におけるレンズ全長が増大してくる。
【００６８】
条件式（２）の下限値を超えて、第１レンズ群の焦点距離が短くなると、全系の小型化には有利となるが、第１レンズ群Ｌ１が３枚のレンズ構成である限りにおいて、球面収差やコマ収差が増大し、これらの諸収差の補正が困難となる。また、広角側における全系の焦点距離が長くなってしまい、所望のズーム比を確保することが困難となる。なお、各実施例において、更に好ましくは、条件式（２）の数値範囲を次の如くするのが良い。
【００６９】
１２．０＜ｆ１／ｆＷ＜３２．０        ・・・（２ａ）
また、さらに好ましくは条件式（２ａ）の数値範囲を次の如く設定するのが好ましい。
１２．３＜ｆ１／ｆＷ＜３０．０        ・・・（２ｂ）
各実施例では以上の如く構成することにより、広角角、高ズーム比であり、全ズーム範囲で高い光学性能を有するズームレンズを得ることができる。
【００７０】
各実施例において更に好ましくは次の条件式のうち１つ以上を満足することがより好ましい。望遠端における全系の焦点距離をｆＴとする。第２レンズ群Ｌ２の焦点距離をｆ２とする。第３レンズ群Ｌ３の焦点距離をｆ３とする。広角端から望遠端へのズーミングにおける第１レンズ群Ｌ１の移動量をＭ１とする。ここで広角端から望遠端へのズーミングにおけるレンズ群の移動量とは広角端におけるレンズ群の位置と望遠端におけるレンズ群の位置の差をいう。移動量の符号は広角端に比べて望遠端において像側に位置するときを正、物体側に位置するときを負とする。
【００７１】
第２レンズ群Ｌ２と第３レンズ群Ｌ３の間に開口絞りＳＰを有し、ズーミングに際し、開口絞りＳＰは第２レンズ群Ｌ２及び第３レンズ群Ｌ３とは異なった軌跡で移動する。広角端における開口絞りＳＰと第３レンズ群Ｌ３の間隔をＤＷ、望遠端における開口絞りＳＰと第３レンズ群Ｌ３の間隔をＤＴとする。第１レンズ群Ｌ１に含まれる正レンズの材料のアッベ数をνｄ１ａとする。第２レンズ群Ｌ２よりも像側に配置されたレンズ、即ち第３レンズ群Ｌ３と後群ＬＲに含まれるレンズの材料のアッベ数をνｄ３ｒとする。
【００７２】
第２レンズ群Ｌ２よりも像側に配置されたレンズの材料の屈折率の平均値をＮａｖｅとする。第２レンズ群Ｌ２よりも像側に配置された正レンズの材料のアッベ数をνｄ３ｐｒとする。第２レンズ群Ｌ２よりも像側に配置された正の屈折力のレンズ群に含まれる負レンズの材料のアッベ数をνｄ３ｎｒとする。このとき次の条件式のうち１つ以上を満足するのが良い。
【００７３】
２．００＜ｆＴ／ｆ１＜４．００            ・・・（３）
１５．０＜｜ｆＴ／ｆ２｜＜５０．０        ・・・（４）
９．０＜ｆＴ／ｆ３＜２８．０              ・・・（５）
−２５．０＜Ｍ１／ｆＷ＜−３．０          ・・・（６）
３．０＜ｆ１／ｆ３＜１０．０              ・・・（７）
６．０＜｜ｆ１／ｆ２｜＜１５．０          ・・・（８）
０．２０＜（ＤＷ−ＤＴ）／ｆＷ＜５．００  ・・・（９）
６５．０＜νｄ１ａ＜１００．０            ・・・（１０）
２０．０＜νｄ３ｒ＜６５．０              ・・・（１１）
１．５０００＜Ｎａｖｅ＜１．５９００      ・・・（１２）
５０．０＜νｄ３ｐｒ＜６０．０            ・・・（１３）
２０．０＜νｄ３ｎｒ＜３０．０            ・・・（１４）
【００７４】
次に前述の各条件式の技術的意味について説明する。条件式（３）は望遠端における全系の焦点距離と第１レンズ群Ｌ１の焦点距離の比を規定している。条件式（３）の上限値を超えて、望遠端における全系の焦点距離が長くなると、球面収差、コマ収差が増大してくる。あるいは第１レンズ群Ｌ１の焦点距離が短くなり、球面収差、コマ収差が増大し、これらの諸収差の補正が困難となる。
【００７５】
条件式（３）の下限値を超えて、望遠端における全系の焦点距離が短くなると、所定のズーム比を得るのが困難になる。あるいは第１レンズ群Ｌ１の焦点距離が長くなり、ズーミングに際して第１レンズ群Ｌ１の移動量が大きくなり、レンズ全長が増大してくる。
【００７６】
条件式（４）は望遠端における全系の焦点距離と第２レンズ群Ｌ２の焦点距離の比を規定している。条件式（４）の下限値を超えて第２レンズ群Ｌ２の焦点距離が長くなると、所定のズーム比を得るのに第２レンズ群Ｌ２の移動量が大きくなり、レンズ全長が増大してくる。条件式（４）の上限値を超えて、第２レンズ群Ｌ２の焦点距離が短くなると、第２レンズ群Ｌ２の移動量は少なくとも所定のズーム比を得るのが容易となるが、像面湾曲が大きくなりこのときの像面湾曲の補正が困難となる。
【００７７】
条件式（５）は望遠端における全系の焦点距離と第３レンズ群Ｌ３の焦点距離の比を規定している。条件式（５）の上限値を超えて、第３レンズ群Ｌ３の焦点距離が短くなると、所定のズーム比を得るのが容易となるが、球面収差、コマ収差が増大し、これらの諸収差の補正が困難となる。条件式（５）の下限値を超えて、第３レンズ群Ｌ３の焦点距離が長くなると、所定のズーム比を得るのに第３レンズ群Ｌ３の移動量が増加し、全系の小型化が困難となる。
【００７８】
条件式（６）は広角端における全系の焦点距離と広角端から望遠端へのズーミングにおける第１レンズ群Ｌ１の移動量を規定している。条件式（６）の下限値を超えて、第１レンズ群Ｌ１の移動量が大きくなると、望遠端におけるレンズ全長が増大してくる。あるいは、広角端における全系の焦点距離が短くなりすぎて、第１レンズ群の有効径が大きくなり、全系が大型化してくる。
【００７９】
条件式（６）の上限値を超えて、第１レンズ群Ｌ１の移動量が小さくなると、第１レンズ群Ｌ１の焦点距離が短くなり、球面収差やコマ収差が大きくなりこれらの諸収差の補正が困難となる。あるいは広角端における全系の焦点距離が長くなり、所定のズーム比を確保することが困難となる。
【００８０】
条件式（７）は第１レンズ群Ｌ１の焦点距離と第３レンズ群Ｌ３の焦点距離の比を規定している。条件式（７）の上限値を超えて、第１レンズ群Ｌ１の焦点距離が長くなると、ズーミングに際して第１レンズ群Ｌ１の移動量が大きくなり、全系が大型化してくる。あるいは第３レンズ群Ｌ３の焦点距離が短くなるため所定のズーム比を得るのは容易になるが、球面収差、コマ収差が増大し、これらの諸収差の補正が困難となる。
【００８１】
条件式（７）の下限値を超えて、第１レンズ群Ｌ１の焦点距離が短くなると、球面収差、コマ収差が増大し、これらの諸収差の補正のためにレンズ枚数を増加しなければならなくなり、第１レンズ群Ｌ１の有効径が増大してくる。又は第３レンズ群Ｌ３の焦点距離が長くなり、全系の小型化を図りつつ、所定のズーム比を得ることが困難となる。
【００８２】
条件式（８）は第１レンズ群Ｌ１の焦点距離と第２レンズ群Ｌ２の焦点距離の比を規定している。条件式（８）の上限値を超えて第１レンズ群Ｌ１の焦点距離が長くなると、ズーミングに際して第１レンズ群Ｌ１の移動量が大きくなり、全系が大型化してくる。あるいは第２レンズ群Ｌ２の焦点距離が短くなるため所定のズーム比を得るのが容易となるが像面湾曲が増大し、このときの像面湾曲の補正が困難になる。
【００８３】
条件式（８）の下限値を超えて第１レンズ群Ｌ１の焦点距離が短くなると、球面収差、コマ収差が増大し、これらの諸収差の補正のためにレンズ枚数を増加しなければならなくなり、第１レンズ群Ｌ１の有効径が増大してくる。あるいは、第２レンズ群Ｌ２の焦点距離が長くなり、全系の小型化を図りつつ、所定のズーム比を得るのが困難となる。
【００８４】
条件式（９）は広角端と望遠端における開口絞りＳＰと第３レンズ群Ｌ３の間隔を規定している。条件式（９）の上限値を超えて広角端における第３レンズ群Ｌ３と開口絞りＳＰの間隔が大きくなると、開口絞りと第１レンズ群Ｌ１が近づくため、第１レンズ群Ｌ１の有効径の小型化は容易となるが、第３レンズ群Ｌ３の有効径が増大してくる。条件式（９）の下限値を超えて開口絞りＳＰと第３レンズ群Ｌ３の間隔が小さくなると、第１レンズ群Ｌ１の有効径が増大してくる。
【００８５】
条件式（１０）は第１レンズ群Ｌ１内に含まれる正レンズの全ての正レンズの材料のアッベ数を規定している。条件式（１０）の下限値を超えてアッベ数が小さくなると、望遠端において軸上色収差が増大してくる。このときの軸上色収差を補正しようとすると、接合レンズ面の曲率がきつくなり、レンズのコバを所定量確保するために、レンズが大型化してくる。条件式（１０）の上限値を超えてアッベ数が大きくなると、軸上色収差の補正や全系の小型化が容易となるが、実在する適切な材料が少なくなってくる。
【００８６】
条件式（１１）は第２レンズ群Ｌ２より像側に配置されたレンズの全てのレンズの材料のアッベ数を規定している。条件式（１１）の下限値を超えてアッベ数が小さくなると、広角端において倍率色収差の二次スペクトルの補正は容易になるが、望遠端において軸上色収差が補正不足となる。条件式（１１）の上限値を超えてアッベ数が大きくなると、広角端において倍率色収差の二次スペクトルが増加してくる。
【００８７】
条件式（１２）は第２レンズ群Ｌ２よりも像側に配置されたレンズの全てのレンズの材料の屈折率の平均値を規定している。条件式（１２）の上限値を超えて屈折率が大きくなると、材料の選択範囲が多く、収差補正が容易になるが、異常分散特性を持つ材料が少なくなり、色収差の補正が困難となる。条件式（１２）の下限値を超えて屈折率が小さくなると、実在する適切な材料が少なくなり、収差補正が困難になってくる。
【００８８】
条件式（１３）は第２レンズ群Ｌ２よりも像側に配置された正レンズの全ての正レンズの材料のアッベ数を規定している。条件式（１３）の上限値を超えてアッベ数が大きくなると、望遠端において倍率色収差を十分に補正することが困難になるため、好ましくない。条件式（１３）の下限値を超えてアッベ数が小さくなると、負レンズの材料とのアッベ数の差が小さくなり、色収差を補正するために第２レンズ群Ｌ２よりも像側に配置された正レンズの曲率がきつくなる。その結果、レンズのコバ厚が厚くなり、レンズが光軸方向に大型化するため好ましくない。
【００８９】
条件式（１４）は第２レンズ群Ｌ２よりも像側に配置された正の屈折力のレンズ群に含まれる全ての負レンズの材料のアッベ数を規定している。条件式（１４）の上限値を超えてアッベ数が大きくなると、レンズ群内の正レンズの材料とのアッベ数の差が小さくなりすぎる。
【００９０】
その結果、色収差を補正するために第２レンズ群Ｌ２よりも像側に配置された正の屈折力のレンズ群に含まれる負レンズのレンズ面の曲率がきつくなる。曲率がきつくなることにより、レンズのコバ厚が厚くなり、レンズが光軸方向に大型化するため好ましくない。また、望遠端における倍率色収差を十分に補正することが困難になるため、好ましくない。
【００９１】
条件式（１４）の下限値を超えてアッベ数が小さくなると、望遠端における軸上色収差を十分に補正することが困難になり、広角端における倍率色収差が過剰に補正させるため、好ましくない。なお、各実施例において、好ましくは、条件式（３）乃至（１４）の数値範囲を次の如くするのが良い。
【００９２】
２．２０＜ｆＴ／ｆ１＜３．８０            ・・・（３ａ）
１８．０＜｜ｆＴ／ｆ２｜＜４５．０        ・・・（４ａ）
１０．０＜ｆＴ／ｆ３＜２５．０            ・・・（５ａ）
−２３．０＜Ｍ１／ｆＷ＜−４．５          ・・・（６ａ）
３．５＜ｆ１／ｆ３＜８．０                ・・・（７ａ）
７．０＜｜ｆ１／ｆ２｜＜１３．０          ・・・（８ａ）
０．３０＜（ＤＷ−ＤＴ）／ｆＷ＜４．５０  ・・・（９ａ）
７５．０＜νｄ１ａ＜１００．０            ・・・（１０ａ）
２３．０＜νｄ３ｒ＜６０．０              ・・・（１１ａ）
１．５２００＜Ｎａｖｅ＜１．５８００      ・・・（１２ａ）
５２．０＜νｄ３ｐｒ＜５９．０            ・・・（１３ａ）
２２．０＜νｄ３ｎｒ＜２８．０            ・・・（１４ａ）
【００９３】
また、さらに好ましくは条件式（３ａ）乃至（１４ａ）の数値範囲を次の如く設定すると、先に述べた各条件式が意味する効果を最大限に得られる。
【００９４】
２．３０＜ｆＴ／ｆ１＜３．６０            ・・・（３ｂ）
２０．０＜｜ｆＴ／ｆ２｜＜４２．０        ・・・（４ｂ）
１１．０＜ｆＴ／ｆ３＜２３．０            ・・・（５ｂ）
−２１．０＜Ｍ１／ｆＷ＜−５．５          ・・・（６ｂ）
４．１＜ｆ１／ｆ３＜７．０                ・・・（７ｂ）
７．５＜｜ｆ１／ｆ２｜＜１２．５          ・・・（８ｂ）
０．３５＜（ＤＷ−ＤＴ）／ｆＷ＜３．８０  ・・・（９ｂ）
８０．０＜νｄ１ａ＜１００．０            ・・・（１０ｂ）
２３．５＜νｄ３ｒ＜５８．０              ・・・（１１ｂ）
１．５４００＜Ｎａｖｅ＜１．５７００      ・・・（１２ｂ）
５４．０＜νｄ３ｐｒ＜５８．０            ・・・（１３ｂ）
２３．０＜νｄ３ｎｒ＜２７．１            ・・・（１４ｂ）
【００９５】
各実施例では以上のように各要素を構成することにより、広角角、高ズーム比であり、高い光学性能を有し、全系が小型のズームレンズを得ている。ズームレンズ系が広画角タイプの場合、軸外光線の入射高により第１レンズ群Ｌ１のレンズ外径（有効径）が決まる。このため、第１レンズ群Ｌ１の構成レンズ枚数は少ないほど全系の小型化に有利である。このため各実施例では第１レンズ群Ｌ１を３枚のレンズより構成している。さらに、第１レンズ群Ｌ１の外径の決まる広角側のレンズ全長を縮めることで前玉における軸外光線の入射高さを低く構成している。
【００９６】
具体的には第１レンズ群Ｌ１を物体側より、像側へ順に負レンズ（負の屈折力のレンズ）１１、正レンズ（正の屈折力のレンズ）１２、正レンズ１３より構成している。また、広画角化を図るために第２レンズ群Ｌ２を負レンズが先行するレンズ構成としている。具体的には物体側より像側へ順に、負レンズ２１、負レンズ２２とし、最終レンズが正レンズであるとしている。ズーミングに際して移動する第２レンズ群Ｌ２をこのような負レンズが先行する構成にして、広画角化を図っている。
【００９７】
第２レンズ群Ｌ２に続く第３レンズ群Ｌ３は正の屈折力を有することが望ましい。広角端において、軸上光束は負の屈折力の第２レンズ群Ｌ２を通過すると発散光束となる。第２レンズ群Ｌ２に続く第３レンズ群Ｌ３を正の屈折力とすることで、光束に対して収斂作用を持たせ、後群ＬＲのレンズ有効径を小さくしている。
【００９８】
また、第３レンズ群Ｌ３を物体側より像側へ順に、正レンズ３１、負レンズ３２、正レンズ３３より構成している。そして正レンズ３１の両レンズ面と、正レンズ３３の両レンズ面を非球面形状としている。第３レンズ群Ｌ３をトリプレット構成とし、非球面レンズを用いることにより、球面収差やコマ収差等を全ズーム領域にて良好に補正している。
【００９９】
以上のように各実施例では第３レンズ群Ｌ３中に効果的に非球面を導入し、更に第１レンズ群Ｌ１、第２レンズ群Ｌ２、第３レンズ群Ｌ３の屈折力を適切に設定することによって軸外諸収差、特に非点収差・歪曲収差を良好に補正している。特に広画角化、高ズーム比化したときに生ずる球面収差、コマ収差等の諸収差を良好に補正している。
【０１００】
以下、各実施例のズームレンズにおいて条件式（１０）、（１１）、（１３）、（１４）に関する各レンズを示す。また後述する表１に各条件式と各レンズを対応して示す。ｇｉを物体側から数えた第ｉ番目のレンズとする。実施例１において、ｇ２は正の屈折力の第２レンズ（正レンズ）、ｇ３は正の屈折力の第３レンズである。ｇ８は正の屈折力の第８レンズ、ｇ９は負の屈折力の第９レンズ（負レンズ）、ｇ１０は正の屈折力の第１０レンズである。ｇ１１は負の屈折力の第１１レンズ、ｇ１２は正の屈折力の第１２レンズである。ｇ１３は負の屈折力の第１３レンズである。
【０１０１】
実施例２において、ｇ２は正の屈折力の第２レンズ、ｇ３は正の屈折力の第３レンズである。ｇ７は正の屈折力の第７レンズ、ｇ８は負の屈折力の第８レンズ、ｇ９は正の屈折力の第９レンズである。ｇ１０は負の屈折力の第１０レンズである。ｇ１１は正の屈折力の第１１レンズ、ｇ１２は負の屈折力の第１２レンズである。
【０１０２】
実施例３において、ｇ２は正の屈折力の第２レンズ、ｇ３は正の屈折力の第３レンズである。ｇ８は正の屈折力の第８レンズ、ｇ９は負の屈折力の第９レンズ、ｇ１０は正の屈折力の第１０レンズである。ｇ１１は負の屈折力の第１１レンズである。ｇ１２は正の屈折力の第１２レンズ、ｇ１３は正の屈折力の第１３レンズ、ｇ１４は負の屈折力の第１４レンズである。
【０１０３】
実施例４において、ｇ２は正の屈折力の第２レンズ、ｇ３は正の屈折力の第３レンズである。ｇ８は正の屈折力の第８レンズ、ｇ９は負の屈折力の第９レンズ、ｇ１０は正の屈折力の第１０レンズである。ｇ１１は負の屈折力の第１１レンズである。ｇ１２は正の屈折力の第１２レンズである。ｇ１３は正の屈折力の第１３レンズ、ｇ１４は負の屈折力の第１４レンズである。
【０１０４】
実施例５において、ｇ２は正の屈折力の第２レンズ、ｇ３は正の屈折力の第３レンズである。ｇ８は正の屈折力の第８レンズ、ｇ９は負の屈折力の第９レンズ、ｇ１０は正の屈折力の第１０レンズ、ｇ１１は負の屈折力の第１１レンズ、ｇ１２は正の屈折力の第１２レンズ、ｇ１３は負の屈折力の第１３レンズである。
【０１０５】
実施例６において、ｇ２は正の屈折力の第２レンズ、ｇ３は正の屈折力の第３レンズである。ｇ８は正の屈折力の第８レンズ、ｇ９は負の屈折力の第９レンズ、ｇ１０は正の屈折力の第１０レンズ、ｇ１１は負の屈折力の第１１レンズである。ｇ１２は正の屈折力の第１２レンズ、ｇ１３は正の屈折力の第１３レンズ、ｇ１４は負の屈折力の第１４レンズ、ｇ１５は負の屈折力の第１５レンズである。
【０１０６】
実施例７において、ｇ２は正の屈折力の第２レンズ、ｇ３は正の屈折力の第３レンズである。ｇ８は正の屈折力の第８レンズ、ｇ９は負の屈折力の第９レンズ、ｇ１０は正の屈折力の第１０レンズ、ｇ１１は負の屈折力の第１１レンズである。ｇ１２は正の屈折力の第１２レンズ、ｇ１３は負の屈折力の第１３レンズである。ｇ１４は正の屈折力の第１４レンズである。
【０１０７】
次に本発明のズームレンズを撮影光学系として用いたデジタルカメラ（撮像装置）の実施形態を図１５を用いて説明する。図１５において、２０はデジタルカメラ本体、２１は上述の実施例のズームレンズによって構成された撮影光学系である。２２は撮影光学系２１によって被写体像（像）を受光するＣＣＤ等の撮像素子（光電変換素子）、２３は撮像素子２２が受光した被写体像を記録する記録手段である。２４は不図示の表示素子に表示された被写体像を観察するためのファインダーである。
【０１０８】
上記表示素子は液晶パネル等によって構成され、撮像素子２２上に形成された被写体像が表示される。このように本発明のズームレンズをデジタルカメラ等の撮像装置に適用することにより、小型で高い光学性能を有する撮像装置を実現している。
【０１０９】
以下、実施例１〜７に対応する数値実施例１〜７の具体的数値データを示す。各数値実施例において、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、νｄｉはそれぞれｄ線に対する第ｉ番目の光学部材の材料の屈折率、アッベ数である。最も像側の２つの面はガラスブロックＧに相当している。非球面形状は光軸方向にＸ軸、光軸と垂直方向にＨ軸、光の進行方向を正としＲを近軸曲率半径、Ｋを円錐定数、Ａ４，Ａ６，Ａ８を各々非球面係数としたとき、
【０１１０】
【数１】
2016136187.tif 000003
【０１１１】
なる式で表している。＊は非球面形状を有する面を意味している。「ｅ−ｘ」は１０-xを意味している。ＢＦはバックフォーカスであり、最終レンズ面からの空気換算での距離を示している。また、前述の各条件式と数値実施例との関係を（表１）に示す。 
【０１１２】
数値実施例１
単位 mm
面データ
面番号       r        d      nd         vd    θgF
1         78.472    1.45   1.91082    35.3
2         50.388    6.25   1.43875    94.9    0.5340
3       -373.473    0.05                  
4         47.226    3.80   1.49700    81.5    0.5375
5        186.276  (可変)                  
6        162.252    0.75   1.88300    40.8
7          8.442    4.15                 
8         82.799    0.60   2.00100    29.1
9         22.472    1.65                   
10        -53.520    0.60   1.88300    40.8
11         53.520    0.10                  
12         19.121    2.25   1.95906    17.5
13       1094.485  (可変)                  
14(絞り)    ∞     (可変)                  
15*         9.520    2.90   1.53160    55.8    0.5684
16*       -51.311    2.19                  
17         29.226    0.40   1.63540    23.9
18          8.369    0.97                  
19*        21.478    2.20   1.53160    55.8    0.5684
20*       -20.493  (可変)                  
21        -40.597    0.70   1.53530    55.8    0.5625
22         27.827  (可変)                  
23         24.794    2.85   1.53160    55.8    0.5684
24        -17.332    0.70                  
25        -17.055    0.50   1.63540    23.9    0.6354
26        -35.122  (可変)                 
27          ∞       0.80   1.51633    64.1
28          ∞     (可変)                  
像面        ∞   
【０１１３】
非球面データ
第15面
K =-4.12544e-001  A 4=-1.02914e-004  A 6=-1.96462e-006  A 8= 1.61013e-008  
第16面
K = 0.00000e+000  A 4=-3.57823e-005  A 6=-6.98894e-007  A 8= 1.38026e-008  
第19面
K = 0.00000e+000  A 4=-1.27652e-004  A 6= 6.08502e-006  A 8=-1.72904e-007  
第20面
K = 0.00000e+000  A 4=-1.15347e-004  A 6= 4.76577e-006  A 8=-2.38815e-007  
各種データ
ズーム比     56.63 
広角     中間     望遠
焦点距離       3.71    27.87   210.00  
Fナンバー      3.50     5.50     7.07  
画角          40.59     7.91     1.06  
レンズ全長    97.09   121.05   149.89  
BF            10.05    23.29     9.98  
d 5            0.75    36.80    68.97  
d13           32.30     3.44     1.00  
d14           14.13     5.89     0.50  
d20            2.64     6.16     9.30  
d22            2.16    10.41    25.08  
d26            9.03    22.27     8.95  
d28            0.50     0.50     0.50  
ズームレンズ群データ
群  始面    焦点距離
1    1      88.71
2    6      -8.64
3   15      16.64
4   21     -30.73 
5   23      30.23 
【０１１４】
数値実施例２
単位 mm
面データ
面番号       r        d      nd         vd     θgF
1         55.343    0.90   1.90366    31.3
2         35.045    4.80   1.49700    81.5    0.5375 
3       -248.514    0.05                   
4         31.323    2.95   1.49700    81.5    0.5375
5        103.722  (可変)                  
6       -339.634    0.60   1.83481    42.7
7          7.044    3.99                  
8        -28.468    0.50   1.80400    46.6
9         27.267    0.05                  
10         14.147    1.50   2.10205    16.8
11         36.758  (可変)                  
12(絞り)    ∞     (可変)                   
13*         8.508    2.35   1.53160    55.8    0.5684
14*       -72.342    2.57                  
15         20.857    0.40   1.63540    23.9
16          6.300    0.50                  
17*        10.887    2.70   1.53160    55.8    0.5684
18*       -15.261  (可変)                  
19        -14.092    0.60   1.53160    55.8    0.5684
20         46.752  (可変)                  
21         18.710    2.50   1.53160    55.8    0.5684
22        -27.026    0.30                  
23        -27.069    0.50   1.60737    27.0    0.6338
24        -35.747  (可変)                   
25          ∞       0.80   1.51633    64.1 
26          ∞     (可変)                   
像面        ∞   
【０１１５】
非球面データ
第13面
K =-2.78153e-001  A 4= 1.41445e-004  A 6= 9.18177e-006  A 8= 8.59048e-008  
第14面
K = 0.00000e+000  A 4= 6.67479e-004  A 6= 8.17799e-006  
第17面
K = 0.00000e+000  A 4= 9.03486e-004  A 6= 5.67518e-006  
第18面
K = 0.00000e+000  A 4= 3.11873e-004  A 6= 4.46187e-006  
各種データ
ズーム比     33.55 
広角     中間     望遠
焦点距離       4.47    26.68   149.99  
Fナンバー      3.50     5.50     6.42  
画角          35.40     8.26     1.48  
レンズ全長    73.98    88.82    99.75  
BF             6.48    16.93     6.17  
d 5            0.85    25.30    40.56  
d11           29.76     4.37     1.00  
d12            1.88     4.88    -0.00  
d18            4.10     5.13     6.97  
d20            3.15     4.45    17.29  
d24            5.45    15.90     5.14  
d26            0.50     0.50     0.50  
ズームレンズ群データ
群  始面    焦点距離
1    1      56.20
2    6      -7.34
3   13      13.34
4   19     -20.30
5   21      23.86
【０１１６】
数値実施例３
単位 mm
面データ
面番号       r        d      nd         vd      θgF
1         83.657    1.45   1.83400    37.2
2         53.531    6.80   1.43875    94.9    0.5340
3       -792.273    0.05                 
4*        50.059    5.20   1.43875    94.9    0.5340
5*       239.429  (可変)                  
6        101.301    0.75   1.88300    40.8
7          8.604    4.36                  
8         73.503    0.60   2.00100    29.1
9         32.334    1.80                  
10        -27.395    0.60   1.88300    40.8
11         58.485    0.10                  
12         25.123    1.95   2.10205    16.8
13       -527.225  (可変)                  
14(絞り)    ∞     (可変)                  
15*         9.365    2.65   1.53160    55.8    0.5684
16*       -39.035    2.17                  
17         37.347    0.40   1.63540    23.9 
18          8.903    0.93                  
19*        21.478    2.20   1.53160    55.8    0.5684
20*       -20.493  (可変)                  
21        -23.207    0.70   1.53160    55.8    0.5684
22         22.246  (可変)                  
23*        23.894    2.60   1.53160    55.8    0.5684
24        -49.839    0.00                  
25         53.906    2.90   1.53160    55.8    0.5684
26*       -18.119    0.30                   
27        -20.101    0.50   1.63540    23.9    0.6354
28       -144.920  (可変)                  
29          ∞       0.80   1.51633    64.1
30          ∞     (可変)                   
像面        ∞   
【０１１７】
非球面データ
第4面
K = 0.00000e+000  A 4= 2.75397e-007  A 6=-1.15168e-009  A 8=-2.66271e-013  
第5面
K = 0.00000e+000  A 4= 4.03810e-007  A 6=-1.66149e-009  A 8= 5.07989e-013  
第15面
K =-5.61556e-001  A 4=-1.68101e-004  A 6=-2.90507e-006  A 8=-1.40285e-007  
第16面
K = 0.00000e+000  A 4=-1.79091e-004  A 6=-3.51791e-006  A 8=-5.81167e-008  
第19面
K = 0.00000e+000  A 4=-3.14686e-004  A 6=-1.49394e-006  A 8=-1.83384e-008  
第20面
K = 0.00000e+000  A 4=-2.04524e-004  A 6= 2.08263e-006  A 8=-2.17730e-007  
第23面
K = 0.00000e+000  A 4=-3.23695e-005  A 6= 1.47316e-006  A 8=-1.36070e-008  
第26面
K = 0.00000e+000  A 4=-2.47972e-005  A 6= 2.06567e-006  A 8=-1.99053e-008  
各種データ
ズーム比     94.39 
広角     中間     望遠
焦点距離       3.71    36.82   350.00  
Fナンバー      3.50     6.00     7.50  
画角          40.59     6.01     0.63  
レンズ全長    99.32   140.31   167.34  
BF             8.09    24.32     3.70  
d 5            0.75    50.42    78.75  
d13           34.28     5.53     0.50  
d14           11.57     1.07     0.39  
d20            3.05     7.83     9.93  
d22            2.57    12.13    35.07  
d28            7.07    23.30     2.68  
d30            0.50     0.50     0.50  
ズームレンズ群データ
群  始面    焦点距離
1    1      99.46
2    6      -8.47
3   15      15.73
4   21     -21.25
5   23      22.54 
【０１１８】
数値実施例４
単位 mm
面データ
面番号       r        d      nd         vd       θgF
1         85.160    1.45   1.83400    37.2
2         54.906    6.50   1.43875    94.9    0.5340
3       -935.688    0.05                  
4*        52.074    5.20   1.43875    94.9    0.5340
5*       260.670  (可変)                   
6        105.501    0.75   1.88300    40.8
7          8.348    4.42                  
8         78.019    0.60   2.00100    29.1
9         35.221    1.74                  
10        -28.347    0.60   1.88300    40.8
11         56.615    0.10                   
12         23.975    2.00   2.10205    16.8
13       -687.148  (可変)                  
14(絞り)    ∞     (可変)                  
15*         9.584    4.20   1.53160    55.8    0.5684
16*       -17.704    2.42                  
17        278.971    0.42   1.63540    23.9
18          8.285    0.63                  
19*        21.478    2.20   1.53160    55.8    0.5684
20*       -20.493  (可変)                  
21        -15.593    0.70   1.53160    55.8    0.5684
22         53.490  (可変)                   
23         24.232    1.80   1.53160    55.8    0.5684
24        -64.388  (可変)                  
25         29.013    1.85   1.53160    55.8    0.5684
26        -33.152    0.30                  
27        -22.986    0.50   1.63540    23.9    0.6354
28        -27.572  (可変)                  
29          ∞       0.80   1.51633    64.1
30          ∞     (可変)                  
像面        ∞   
【０１１９】
非球面データ
第4面
K = 0.00000e+000  A 4=-2.75401e-007  A 6=-1.13446e-010  A 8= 4.19478e-014  
第5面
K = 0.00000e+000  A 4=-2.62021e-007  A 6=-1.82957e-011  A 8= 6.32586e-014  
第15面
K =-1.74772e-001  A 4=-2.46536e-004  A 6=-1.92974e-006  A 8=-8.07744e-008  
第16面
K = 0.00000e+000  A 4=-8.64784e-005  A 6= 5.81204e-007  A 8=-7.45620e-008  
第19面
K = 0.00000e+000  A 4=-2.33572e-004  A 6= 1.40665e-005  A 8= 1.25068e-007  
第20面
K = 0.00000e+000  A 4=-2.08600e-004  A 6= 1.17827e-005  A 8=-6.50393e-008  
各種データ
ズーム比     94.32 
広角     中間     望遠
焦点距離       3.71    36.10   350.00  
Fナンバー      3.50     6.00     7.50  
像高           3.18     3.88     3.88  
レンズ全長   100.26   141.33   168.92  
BF             2.52     2.52     2.52  
d 5            0.75    50.57    82.13  
d13           35.15     0.86     1.94  
d14           12.64    10.43    -0.00  
d20            3.98     5.41     5.76  
d22            3.44     9.49    37.06  
d24            3.34    23.60     1.08  
d28            1.49     1.49     1.49  
d30            0.50     0.50     0.50  
ズームレンズ群データ
群  始面    焦点距離
1    1     102.17 
2    6      -8.64 
3   15      15.85
4   21     -22.63
5   23      33.35
6   25      33.89
【０１２０】
数値実施例５
単位 mm
面データ
面番号       r        d      nd         vd       θgF 
1         84.567    1.45   1.83400    37.2
2         54.448    6.60   1.43875    94.9    0.5340
3      -1628.041    0.05                  
4*        51.053    5.30   1.43875    94.9    0.5340
5*       251.226  (可変)                  
6         77.086    0.75   1.88300    40.8
7          8.051    4.22                 
8         89.920    0.60   2.00100    29.1
9         22.800    1.78                  
10        -30.243    0.60   1.88300    40.8
11        107.006    0.10                 
12         22.887    1.95   2.10205    16.8
13       -493.773  (可変)                
14(絞り)    ∞     (可変)                   
15*         9.434    2.65   1.53160    55.8    0.5684
16*       -25.780    2.12                  
17         30.898    0.40   1.63540    23.9
18          8.081    0.80                  
19*        21.478    2.20   1.49171    57.4    0.5537
20*       -19.313    1.44                  
21        -26.843    0.70   1.53160    55.8    0.5684
22         50.568  (可変)                 
23         30.945    3.20   1.53160    55.8    0.5684
24        -15.127    0.38                  
25        -14.738    0.50   1.63540    23.9    0.6354
26        -28.313  (可変)                  
27          ∞       0.80   1.51633    64.1
28          ∞     (可変)                  
像面        ∞   
【０１２１】
非球面データ
第4面
K = 0.00000e+000  A 4= 2.61939e-007  A 6=-1.32585e-009  A 8=-3.88799e-013  
第5面
K = 0.00000e+000  A 4= 3.95656e-007  A 6=-1.86674e-009  A 8= 4.64946e-013  
第15面
K =-6.76205e-001  A 4=-2.36927e-004  A 6=-6.09964e-006  A 8=-1.91153e-007  
第16面
K = 0.00000e+000  A 4=-2.08758e-004  A 6=-5.53810e-006  A 8=-8.25649e-008  
第19面
K = 0.00000e+000  A 4=-2.10942e-004  A 6= 1.08290e-005  A 8= 3.33026e-007  
第20面
K = 0.00000e+000  A 4=-1.50328e-004  A 6= 1.17827e-005  A 8=-2.56527e-008  
各種データ
ズーム比    100.00 
広角     中間     望遠
焦点距離       3.50    37.10   350.00  
Fナンバー      3.50     6.00     7.50  
画角          42.23     5.96     0.63  
レンズ全長    94.97   135.88   168.08  
BF             9.30    30.31     2.52  
d 5            0.75    50.40    83.35  
d13           31.57    -1.54     0.67  
d14           12.62     7.16     0.38  
d22            2.93    11.74    43.36  
d26            8.27    29.28     1.49  
d28            0.50     0.50     0.50  
ズームレンズ群データ
群  始面    焦点距離
1    1     103.03 
2    6      -8.39
3   15      20.19
4   23      31.78
【０１２２】
数値実施例６
単位 mm
面データ
面番号       r        d      nd         vd      θgF
1         83.685    1.45   1.83400    37.2 
2         53.801    6.85   1.43875    94.9    0.5340
3       -781.935    0.05                  
4*        50.547    5.30   1.43875    94.9    0.5340
5*       235.758  (可変)                  
6        134.345    0.75   1.88300    40.8
7          8.679    4.22                  
8         66.530    0.60   2.00100    29.1
9         29.030    1.85                  
10        -27.954    0.60   1.88300    40.8
11         65.455    0.10                   
12         24.379    2.00   2.10205    16.8
13       -500.835  (可変)                  
14(絞り)    ∞     (可変)                  
15*         9.731    4.00   1.53160    55.8    0.5684
16*       -27.384    1.63                  
17         32.765    0.40   1.63540    23.9
18          8.336    1.19                   
19*        21.478    2.20   1.53160    55.8    0.5684
20*       -20.493    3.03                   
21        -16.819    0.70   1.53160    55.8 
22        639.876  (可変)                   
23         34.647    3.00   1.53160    55.8    0.5684 
24        -37.739    0.20                   
25        -95.085    2.85   1.53160    55.8    0.5684
26        -14.875    0.30                  
27        -14.342    0.50   1.63540    23.9    0.6354
28        -28.333  (可変)                  
29*       -20.000    0.30   1.53160    55.8    0.5684
30          ∞       0.47                  
31          ∞       0.50   1.51633    64.1
32          ∞     (可変)                  
像面        ∞   
【０１２３】
非球面データ
第4面
K = 0.00000e+000  A 4= 2.62939e-007  A 6=-7.62248e-010  A 8=-1.34059e-013  
第5面
K = 0.00000e+000  A 4= 3.60958e-007  A 6=-1.08717e-009  A 8= 3.17466e-013  
第15面
K =-3.54011e-001  A 4=-2.22297e-004  A 6=-1.79835e-006  A 8=-1.20993e-007  
第16面
K = 0.00000e+000  A 4=-1.89235e-004  A 6=-1.24730e-006  A 8=-7.89022e-008  
第19面
K = 0.00000e+000  A 4=-2.42825e-004  A 6= 1.00457e-005  A 8=-1.86681e-007  
第20面
K = 0.00000e+000  A 4=-1.70494e-004  A 6= 9.19936e-006  A 8=-2.32429e-007  
第29面
K = 0.00000e+000  A 4= 1.88954e-003  A 6=-1.30225e-004  A 8= 3.02865e-006  
各種データ
ズーム比     94.06 
広角     中間     望遠
焦点距離       3.72    37.80   350.00  
Fナンバー      3.50     6.00     7.50  
画角          40.50     5.85     0.63  
像高           3.18     3.88     3.88  
レンズ全長    99.30   134.64   167.48  
BF             1.25     1.25     1.25  
d 5            0.75    48.33    79.94  
d13           35.96     2.03     0.48  
d14            9.61     2.21    -0.02  
d22            2.69    10.11    40.96  
d28            4.98    26.64     0.80  
d32            0.45     0.45     0.45  
ズームレンズ群データ
群  始面    焦点距離
1    1     100.16
2    6      -8.63
3   15      20.02
4   23      27.30
5   29     -37.62
【０１２４】
数値実施例７
単位 mm
面データ
面番号       r        d      nd         vd       θgF
1         90.297    1.45   1.83400    37.2
2         56.644    6.45   1.43875    94.9    0.5340
3       -900.452    0.05                  
4*        48.047    5.70   1.43875    94.9    0.5340
5*       238.987  (可変)                  
6         81.338    0.75   1.88300    40.8
7          8.232    4.38                  
8         62.165    0.60   2.00100    29.1
9         24.048    1.97                   
10        -29.428    0.60   1.88300    40.8
11         89.311    0.10                   
12         24.064    1.95   2.10205    16.8
13       -630.638  (可変)                   
14(絞り)    ∞     (可変)                  
15*         8.973    3.55   1.53160    55.8    0.5684
16*       -27.475    1.73                  
17         47.933    0.40   1.63540    23.9
18          8.482    0.72                  
19*        21.478    2.20   1.53160    55.8    0.5684 
20*       -20.493    3.70                   
21        -20.196    0.70   1.53160    55.8    0.5684
22         33.581  (可変)                   
23*        23.028    3.15   1.53160    55.8    0.5684
24*       -16.237    0.70                  
25        -16.739    0.50   1.63540    23.9    0.6354
26        -35.250  (可変)                  
27         50.000    1.50   1.53160    55.8    0.5684
28        -50.000    0.50                  
29          ∞       0.50   1.51633    64.1
30          ∞     (可変)                  
像面        ∞   
【０１２５】
非球面データ
第4面
K = 0.00000e+000  A 4=-1.31992e-007  A 6=-5.89439e-010  A 8=-1.76533e-013  
第5面
K = 0.00000e+000  A 4= 9.02130e-009  A 6=-7.48287e-010  A 8= 2.48210e-013  
第15面
K =-3.06427e-001  A 4=-1.80863e-004  A 6=-4.21709e-006  A 8= 1.95664e-007  
第16面
K = 0.00000e+000  A 4=-1.77235e-004  A 6= 5.42641e-006  A 8= 1.16455e-007  
第19面
K = 0.00000e+000  A 4=-4.47093e-004  A 6= 2.62320e-005  A 8= 1.09066e-007  
第20面
K = 0.00000e+000  A 4=-2.61243e-004  A 6= 1.65729e-005  A 8= 1.09909e-008  
第23面
K = 0.00000e+000  A 4=-6.89447e-005  A 6= 2.98776e-006  A 8=-7.78674e-008  
第24面
K = 0.00000e+000  A 4=-5.54698e-005  A 6= 3.09922e-006  A 8=-7.57926e-008  
各種データ
ズーム比     94.46 
広角     中間     望遠
焦点距離       3.71    36.64   350.00  
Fナンバー      3.50     6.00     7.50  
画角          40.62     6.04     0.63  
像高           3.18     3.88     3.88  
レンズ全長    97.75   137.92   167.11  
BF             1.33     1.33     1.33  
d 5            0.75    49.05    80.00  
d13           33.19     3.66     0.50  
d14           11.71     3.26     0.05  
d22            3.28    11.09    40.15  
d26            4.63    26.67     2.23  
d30            0.50     0.50     0.50  
ズームレンズ群データ
群  始面    焦点距離
1    1      99.61 
2    6      -8.57
3   15      19.99
4   23      27.83
5   27      47.27
【０１２６】
【表１】
2016136187.tif 000004
【符号の説明】
【０１２７】
Ｌ１  第１レンズ群      Ｌ２  第２レンズ群      Ｌ３  第３レンズ群
Ｌ４  第４レンズ群      Ｌ５  第５レンズ群      Ｌ６  第６レンズ群
ＳＰ  開口絞り      ＬＲ  後群
【図１】
2016136187.tif 000005
【図２】
2016136187.tif 000006
【図３】
2016136187.tif 000007
【図４】
2016136187.tif 000008
【図５】
2016136187.tif 000009
【図６】
2016136187.tif 000010
【図７】
2016136187.tif 000011
【図８】
2016136187.tif 000012
【図９】
2016136187.tif 000013
【図１０】
2016136187.tif 000014
【図１１】
2016136187.tif 000015
【図１２】
2016136187.tif 000016
【図１３】
2016136187.tif 000017
【図１４】
2016136187.tif 000018
【図１５】
2016136187.tif 000019
【図１６】
2016136187.tif 000020